(57)【要約】  全体をシート状部材１６で環状に形成し、該シート状部材１６の幅方向の中間部において折り返して二層構造に形成して乳幼児を包み込み可能な被包部１２を備えるとともに、装着する人の肩部に係合可能な肩係合部１３を備えたベビーキャリア１１であって、上記被包部１２の上部に、上記被包部１２に対して乳幼児を出し入れ可能に開口する出入許容部１４Ａを備え、上記出入許容部１４Ａの縁部に有する出入許容縁部１４を収縮方向に付勢して上記被包部１２内の乳幼児を保持する収縮付勢部１５を、上記出入許容縁部１４に形成したベビーキャリア１１。
2009090732.tif 000002
【特許請求の範囲】
【請求項１】
全体をシート状部材で環状に形成し、
該シート状部材の幅方向の中間部において折り返して二層構造に形成して乳幼児を包み込み可能な被包部を備えるとともに、
装着する人の肩部に係合可能な肩係合部を備えたベビーキャリアであって、
上記被包部の上部に、上記被包部に対して乳幼児を出し入れ可能に開口する出入許容部を備え、
上記出入許容部の縁部に有する出入許容縁部を収縮方向に付勢して上記被包部内の乳幼児を保持する収縮付勢部を、上記出入許容縁部に形成した
ベビーキャリア。
【請求項２】
上記収縮付勢部は、上記出入許容縁部の生地より高い伸縮性を有した収縮付勢手段を、上記出入許容縁部に備えることによって形成した
請求項１に記載のベビーキャリア。
【請求項３】
上記収縮付勢手段を、上記出入許容縁部に沿って配置する弾性線状体で形成した
請求項２に記載のベビーキャリア。
【請求項４】
上記弾性線状体の自然長を、上記出入許容縁部に配置する配置部分の長さより短い長さで形成し、
上記弾性線状体を、該配置部分の長さに伸張した状態で上記配置部分に固定した
請求項３に記載のベビーキャリア。
【請求項５】
上記出入許容縁部に、上記弾性線状体を収容する筒状収容部を形成した
請求項４に記載のベビーキャリア。
【請求項６】
上記筒状収容部に、上記弾性線状体を収容する収容口を備え、
上記収容口に、該収容口を封止するとともに、上記弾性線状体を上記筒状収容部に固定する封止固定部を形成した
請求項５に記載のベビーキャリア。
【請求項７】
上記封止固定部を、上記出入許容縁部の両端部に形成し、
上記封止固定部は、上記筒状収容部を内部に収容した上記弾性線状体ごと重合して縫着固定した重合縫着部により形成した
請求項６に記載のベビーキャリア。
【請求項８】
上記弾性線状体の中途部分を、上記出入許容縁部に固定した
請求項７に記載のベビーキャリア。
【発明の詳細な説明】
【技術分野】
【０００１】
この発明は、乳幼児を抱っこするために用いるベビーキャリアに関する。
【背景技術】
【０００２】
上記ベビーキャリアは、乳幼児の成長、装着する人（保護者）の体格、或いは、使用用途などに応じて様々な取り付け形態で装着することができ、利便性が高いことから、広く普及しつつある。  
例えば、上記ベビーキャリアには、下記特許文献１において開示された「幼児を抱く帯」が存在する。  
上記「幼児を抱く帯」は、外布と内布を２重にして、輪を作り、両者を一ヶ所で縫着し、該輪を肩に掛け、又、その長さ方向の一部分で幼児を横抱きして用いるものである。【０００３】
しかし、上述した「幼児を抱く帯」は、２枚の布を重合し、幅を広げた状態で乳児を支えているだけなので、乳幼児を安定して保持できないおそれを有する。【０００４】
すなわち、例えば、「幼児を抱く帯」を装着した保護者が例えば、前屈みの姿勢となった場合や、幼児が動いた場合に、柔軟な外布と内布の幅方向の端部が捲れるなどして、幼児が落下してしまうおそれを有する。【０００５】
一方、保護者にとっても、常に、幼児を自分の側へ密着するよう手を添えるなどして抱きかかえておく必要があるため、快適な装着状態とはいえなかった。【０００６】
【特許文献１】実開平５−２０６６５号
【発明の開示】
【発明が解決しようとする課題】
【０００７】
そこでこの発明は、乳幼児の安全性、快適性を確保しつつ、装着する人にとっても、使い勝手のよいベビーキャリアの提供を目的とする。
【課題を解決するための手段】
【０００８】
本発明のベビーキャリアは、全体をシート状部材で環状に形成し、該シート状部材の幅方向の中間部において折り返して二層構造に形成して乳幼児を包み込み可能な被包部を備えるとともに、装着する人の肩部に係合可能な肩係合部を備えたベビーキャリアであって、上記被包部の上部に、上記被包部に対して乳幼児を出し入れ可能に開口する出入許容部を備え、上記出入許容部の縁部（上記被包部の上端部）に有する出入許容縁部を収縮方向に付勢して上記被包部内の乳幼児を保持する収縮付勢部を、上記出入許容縁部に形成したことを特徴とする。【０００９】
上記構成により、上記被包部により乳児を包み込んだ状態で、出入許容縁部を収縮方向に付勢して被包部内の乳幼児を保持することができるため、乳児の安全性、快適性を確保することができる。【００１０】
しかも、本発明のベビーキャリアは、上記出入許容縁部を収縮方向への付勢力に抗して伸張することにより、出入許容縁部を容易に開口させることができる。このため、上記被包部に対して乳幼児を容易に出し入れすることができ、使い勝手がよく用いることができる。【００１１】
上記シート状部材は、ベビーキャリアを装着する人が襷掛けした状態で乳児を抱きかかえることができる強度を有していれば、伸縮性の有無など生地の性質は限定しない。  
さらに、上記シート状部材は、編み物、織物のいずれによっても形成することができる。【００１２】
なお、明細書中、被包部内の乳幼児を保持するとは、特に示す場合を除いて被包部内の乳幼児が出入許容部から抜け落ちないよう保持することを示すものとする。【００１３】
また、上記収縮付勢部を、上記出入許容縁部の生地自体を、収縮方向に付勢して上記被包部内の乳幼児を保持可能な伸縮性を有する生地により形成してもよいが、この発明の態様として、上記収縮付勢部は、上記出入許容縁部の生地より高い伸縮性を有した収縮付勢手段を、上記出入許容縁部に備えることによって形成することが好ましい。【００１４】
上述した構成によって収縮付勢部を出入許容縁部に形成することにより、出入許容縁部の生地自体が伸縮性を有していなくてもよいため、例えば、上記出入許容縁部を含む上記被包部を伸縮性の低い１種類の素材で形成した生地を用いることができ、結果的に容易にベビーキャリアを製造することができる。【００１５】
この発明の態様として、上記収縮付勢手段を、上記出入許容縁部に沿って配置する弾性線状体で形成することができる。【００１６】
上記構成により、出入許容縁部が嵩張ることなく、該出入許容縁部を容易に収縮方向に付勢することができる。さらに、弾性線状体は、その長さ方向全体が伸縮するため、出入許容縁部を収縮方向に付勢してしっかりと被包部内の乳幼児の落下を防ぐとができる。【００１７】
上記弾性線状体は、例えば、ゴム紐、ゴムバンド、コイルバネなど、出入許容縁部の生地よりも弾性に優れた線状体であれば特に限定しない。【００１８】
この発明の態様として、上記弾性線状体の自然長を、上記出入許容縁部に配置する配置部分の長さより短い長さで形成し、上記弾性線状体を、該配置部分の長さに伸張した状態で上記配置部分に固定することができる。【００１９】
上記構成により、被包部内の乳幼児を保持するために必要となる適切な付勢力を有した収縮付勢部を容易、且つ、シンプルな構成で実現することができる。【００２０】
この発明の態様として、上記出入許容縁部に、上記弾性線状体を収容する筒状収容部を形成することができる。【００２１】
上記構成により、上記弾性線状体を上記収容部に収容することができ、これにより、乳幼児の出し入れの際に弾性線状体が邪魔にならず、見栄えも良好に保つことができる。【００２２】
この発明の態様として、上記筒状収容部に、上記弾性線状体を収容する収容口を備え、上記収容口に、該収容口を封止するとともに、上記弾性線状体を上記筒状収容部に固定する封止固定部を形成することができる。【００２３】
上記構成により、収容口を封止することができるとともに、該弾性線状体を上記筒状収容部に強固に取り付けることができる。さらに、上記収容口に上記封止固定部を形成することにより、上記収容口の封止と、上記弾性線状体の上記筒状収容部への固定との双方を実現することができる。【００２４】
この発明の態様として、上記封止固定部を、上記出入許容縁部の両端部に形成し、上記封止固定部は、上記筒状収容部を内部に収容した上記弾性線状体ごと重合して縫着固定した重合縫着部により形成することができる。【００２５】
封止固定部を重合縫着部により形成することにより、例えば、生地を単に縫着するよりも、より強固に固定することができ、上記弾性線状体が伸張してもしっかりと保持することができる。【００２６】
さらに、封止固定部を出入許容縁部の両端部に形成することにより、弾性線状体を、その長さ方向の両端側で保持することができるため、該弾性線状体の優れた伸縮性を損なうことなく保持することができる。【００２７】
上記重合縫着部には、例えば、上記弾性線状体ごと複数層に折り重ねた折重ね部分（タック）を形成し、該折重ね部分を縫着固定した形態を挙げることができる。【００２８】
この発明の態様として、上記弾性線状体の中途部分を、上記出入許容縁部に固定することができる。【００２９】
上記構成により、乳幼児が活発に動作しても筒状収容部に収容した弾性線状体が捩れることを防止することができる。【００３０】
さらに、弾性線状体の長さ方向の一部が収縮の際に筒状収容部などに引っ掛かるなどして、部分的に伸張した状態で上記出入許容縁部の一部分に偏るといった事態を阻止することができる。【００３１】
このため、弾性線状体全体の均一な伸縮性を確保することができ、出入許容縁部全体で、乳幼児が抜け出さないようしっかりと保持することができる。  
さらに、弾性線状体が出入許容縁部の一部分に偏ることを阻止することにより、出入許容縁部が弛緩することを防止でき、邪魔にならず、見栄えも良好に保つことができるといった効果も得ることができる。【００３２】
なお、上記弾性線状体の中途部分を、上記出入許容縁部に固定する手段としては、特に限定しないが、例えば、縫着することにより固定することが好ましい。  
縫着により固定すれば、上記弾性線状体を上記出入許容縁部に対して強固に固定することができるとともに、固定部分が嵩張らない形態で形成することができる。
【図面の簡単な説明】
【００３３】
【図１】本実施形態のベビーキャリアの使用状態図。
【図２】本実施形態における乳児包被具の正面図。
【図３】本実施形態のベビーキャリアの平面図（ａ），底面図（ｂ）。
【図４】本実施形態のベビーキャリアの左側面図（ａ），右側面図（ｂ）。
【図５】図４（ａ）のＡ−Ａ端面図。
【図６】本実施形態のベビーキャリアの展開状態の正面図。
【図７】本実施形態のベビーキャリアの展開状態の平面図（ａ），底面図（ｂ）。
【図８】本実施形態のベビーキャリアの展開状態の側面図。
【図９】本実施形態のベビーキャリアの製造方法の説明図。
【図１０】本実施形態のベビーキャリアの製造方法の説明図。
【図１１】本実施形態のベビーキャリアの製造方法の説明図。
【図１２】本実施形態のベビーキャリアの製造方法の説明図。
【図１３】本実施形態のベビーキャリアの構成説明図。
【図１４】本実施形態のベビーキャリアの使用状態図。
【図１５】本実施形態のベビーキャリアの作用説明図。
【図１６】本実施形態のベビーキャリアの作用説明図。
【図１７】本実施形態のベビーキャリアの使用状態図。
【図１８】本実施形態のベビーキャリアの作用説明図。
【符号の説明】
【００３４】
１１…ベビーキャリア
１２…被包部
１３…肩係合部
１４Ａ…出入許容部
１４…出入許容縁部
１５…ゴム紐
１６…シート状部材
２５…筒状収容部
２６…収容口
２７…重合縫着固定部
２８…縫着固定部
【発明を実施するための最良の形態】
【００３５】
本実施例におけるベビーキャリア１１を、図面とともに説明する。  
図１は、ベビーキャリア１１を用いて保護者が、いわゆる「ゆりかご抱き」と称する抱き方によって乳児を抱いている様子を示す。【００３６】
ベビーキャリア１１は、乳児を包み込み可能な被包部１２を備えるとともに、保護者の肩部に係合可能な肩係合部１３を備えている。さらに、上記被包部１２の上部に、上記被包部１２に対して乳児を出し入れ可能に開口する出入許容部１４Ａを備え、上記出入許容部１４Ａの縁部（上記被包部１２の上端部）に有する出入許容縁部１４を収縮方向に付勢して上記被包部１２の内部の乳児を保持するゴム紐１５を、上記出入許容縁部１４に備えている。【００３７】
詳しくは、ベビーキャリア１１は、図２から図５に示すように、全体を低伸縮性を備えた編地である１枚のシート状部材１６により環状に形成し、該シート状部材１６の幅方向（図１中、上下方向）の中間部において折り返して重合した二層形態で形成している。  
ベビーキャリア１１は、図５に示すように、二層形態をした状態において環状（筒状）のシート状部材１６の内側に貫通孔Ｂを備え、該貫通孔Ｂの貫通方向の両側部分に開口部Ａを備えている。【００３８】
なお、図２から図５は、いずれも、上述したように二層形態としたベビーキャリア１１を示し、図２は、ベビーキャリア１１の正面図、或いは、背面図であり、図３（ａ），（ｂ）は、それぞれベビーキャリア１１の平面図、底面図である。さらに、図４（ａ），（ｂ）は、それぞれベビーキャリア１１の左側図、右側面図である。図５は、一部拡大して示した図４（ａ）におけるＡ−Ａ断面図である。【００３９】
上記肩係合部１３は、図１、図２、及び、図５に示すように保護者がベビーキャリア１１を襷掛けしたとき肩部に係合可能に、ベビーキャリア１１の周方向における一部分を、他の部分と比較して幅小に形成している。【００４０】
上記肩係合部１３には、図３（ａ）に示すように、その幅方向に沿ってシート状部材１６の各端部同士を一体に縫着固定した肩係合縫着ライン２１を形成している。  
なお、肩係合縫着ライン２１は、適宜、ステッチを形成したり、パイピング加工を施すことにより、荷重を受け易い肩係合部１３の強度を補強している。【００４１】
また、上記被包部１２は、図１、及び、図２に示すように、保護者がベビーキャリア１１を襷掛けしたとき保護者の前身頃、及び、後身頃に相当する各部分に備え、ベビーキャリア１１の周方向における当該前身頃相当部分、及び、後身頃相当部分を、他の部分と比較して幅大に形成し、いずれも乳幼児を包み込んで包持可能な大きさで形成している。【００４２】
なお、ベビーキャリア１１の周方向における、上記肩係合部１３と上記被包部１２との間は、被包部１２から上記肩係合部１３へ向けて徐々に幅小になるよう形成している。【００４３】
また、ベビーキャリア１１は、図１、及び、図２に示すように、二層形態としたシート状部材１６の折返し部分（図１中、ベビーキャリア１１の下端周縁部）における、被包部１２を除く部分に、折返縫着ライン２２を形成している。【００４４】
折返縫着ライン２２は、上記肩係合縫着ライン２１と同様に、適宜、ステッチを形成したり、パイピング加工を施すことにより、該折返縫着ライン２２を補強するとともに、シート状部材１６を二層形態としたとき型崩れすることがないよう折返し部分の形態を保っている。【００４５】
また、ベビーキャリア１１は、二層形態から一層形態へ展開すると、図６、図７、及び、図８に示すように、折返縫着ライン２２を含むシート状部材１６の幅方向の中間部に対して各側部分が対称の形態になるよう展開することができる。  
なお、図６から図８は、いずれも展開状態のベビーキャリア１１を示し、図６は、ベビーキャリア１１の正面図、或いは、背面図であり、図７（ａ），（ｂ）は、それぞれベビーキャリア１１の平面図、底面図である。図８は、ベビーキャリア１１の右側面図、或いは、左側面図である。【００４６】
ベビーキャリア１１は、図６から図８に示した展開状態から図２から図５に示したように幅方向の中間部に対して一方の側の部分と他方の側の部分とが周方向全体において重合するよう折り返して用いる。  
その際、ベビーキャリア１１は、上記一方の側の部分が上記他方の側の部分に対して内側、外側のいずれの側で重合するように折り返した場合においても、同じ二層形態となるため、上記他方の側の部分を、上記一方の側の部分に対して内側、外側のいずれの側で折り返してもよい。【００４７】
ここで、二層形態のシート状部材１６の外側部分を外面布１６ｏに設定するとともに、内側部分を内面布１６ｉに設定する。【００４８】
また、上記出入許容縁部１４は、被包部１２における外面布１６ｏの上端部に有する外側出入許容縁部１４ｏと、内面布１６ｉの上端部に有する内側出入許容縁部１４ｉとで形成している。【００４９】
出入許容縁部１４には、該出入許容縁部１４の長さ方向に沿って筒状収容部２５を形成し、上記ゴム紐１５を、筒状収容部２５に収容することにより備えている（図５の一部拡大図参照）。  
また、ゴム紐１５は、上記シート状部材１６の生地よりも伸縮性（弾性）に優れた弾性体により形成するとともに、その自然長が上記出入許容縁部１４の全長よりも短い長さで形成している。【００５０】
ゴム紐１５は、筒状収容部２５の内部において、上記出入許容縁部１４の全長に相当する長さに伸張し、この伸張状態で出入許容縁部１４、及び、筒状収容部２５に一体に固定することにより、出入許容縁部１４の全長に亘って配置している。【００５１】
ゴム紐１５を、出入許容縁部１４、及び、筒状収容部２５に対して固定する形態について詳述する。  
ゴム紐１５の長さ方向の両端部分は、重合縫着固定部２７により固定するとともに、ゴム紐１５の長さ方向の中途部分は、縫着固定部２８により固定している。【００５２】
上記重合縫着固定部２７は、出入許容縁部１４の長さ方向の両端部において、図４（ａ）の要部拡大図に示すように、出入許容縁部１４、及び、筒状収容部２５を、上記筒状収容部２５の内部に収容した上記ゴム紐１５ごと折り重ねて重合して重合部分（タック）を構成し、該重合部分を縫着固定することで形成している。【００５３】
また、上記縫着固定部２８は、ゴム紐１５をその長さ方向において、例えば、３等分する２つの中途部分に、ゴム紐１５を出入許容縁部１４、及び、筒状収容部２５に対して縫着固定することで形成している。【００５４】
上記構成により、ゴム紐１５は、上記出入許容縁部１４を収縮方向に付勢するため、出入許容縁部１４、及び、筒状収容部２５とともに収縮した状態となる。【００５５】
次に、上述したベビーキャリア１１の製造方法の一例を図９から図１２を用いて各工程ごとに説明する。  
（工程１）図９（ａ）に示すように、編地により形成した１枚のシート状部材１６を、矩形（長方形状）に形成する。なお、シート状部材１６は、例えば、裁断、或いは、縫製といった手段により矩形に形成することができる。さらに、縫製により形成する場合は、リブ編み（ゴム編み）、両面編み（インターロック編み）、平編み、丸編などの緯編み、経編、或いは、これらを組み合わせた編み方で形成することができる。  
さらに、矩形をしたシート状部材１６は、その幅方向の両端側部分に、ゴム紐１５を収容可能な中空部１７を備えている。  
具体的には、図９（ａ−１），（ａ−２）に示すように、中空部１７は、シート状部材１６を、その幅方向の両端側部分の所定幅分だけ一方の面側の編地１６Ａと他方の面側の編地１６Ｂと接合せずに分離可能に中空状に編み込むことにより形成している。  
なお、図９（ａ−１），（ａ−２）は、それぞれ図９（ａ）におけるＡ−Ａ線拡大端面図、Ｂ−Ｂ線拡大端面図を示す。【００５６】
（工程２）図９（ｂ）に示すように、上記シート状部材１６を、その長手方向の両端部１２ｃ，１２ｄどうしを縫着して環状（筒状）にする。  
このとき、上記シート状部材１６の長手方向の両端部どうしの縫着部分には、上記肩係合縫着ライン２１を形成することができる。【００５７】
（工程３）上記シート状部材１６を、図９（ｂ）中、仮想線で示した上下方向の中間部分１８（幅方向の中間部）で折り返す。  
具体的には、図１０（ｃ）に示すように、上記シート状部材１６を、幅方向の中間部（図上下方向）の下半分を上半分の内側、或いは、外側へ折り返して外面布１６ｏと内面布１６ｉとの二層形態とする。【００５８】
これにより、図１０（ｃ−１）に示すように、二層形態となったシート状部材１６の下端部には、折返し部分１８（上記中間部分１８）が位置することになり、幅方向の両端部の中空部１７は、該シート状部材１６の上端部に位置することになる。  
なお、図１０（ｃ−１）は、図１０（ｃ）におけるＣ−Ｃ線拡大端面図を示す。【００５９】
（工程４）図１０（ｄ）に示すように、シート状部材１６の折返し部分１８の一部位を図中、一点鎖線で示したカットラインＣに沿って裁断する。  
具体的には、折返し部分１８（下端周縁部）の周方向の一部分を、カットラインＣが例えば、下端周縁部に対して３０°程度の傾斜の円弧状になるよう裁断する。【００６０】
（工程５）図１０（ｅ）に示すように、折返し部分１８における工程（４）で裁断した裁断部分を縫着する。この縫着により、上記折返縫着ライン２２を形成することができる。【００６１】
（工程６）図１０（ｆ）に示すように、シート状部材１６の上端周縁部における上記折返縫着ライン２２を有しない側の部分の中空部１７を構成する編地を、ゴム紐１５を収容可能な上記筒状収容部２５に設定する。上記筒状収容部２５の長さ方向各端部には、該筒状収容部２５にゴム紐１５を挿入可能に収容可能なスリット状の収容口２６を形成する。【００６２】
収容口２６は、図１０（ｆ）の一部拡大図、及び、図１０（ｆ−１）に示すように、内面布１６ｉと外面布１６ｏとの双方に形成している。  
なお、図１０（ｆ−１）は、図１０（ｆ）におけるＤ−Ｄ拡大端面図、すなわち、シート状部材１６の上端周縁部における収容口２６の形成部分におけるシート状部材１６の切断端面図を示す。【００６３】
また、筒状収容部２５は、外面布１６ｏ側に有する外側筒状収容部２５ｏと、内面布１６ｉ側に有する内側筒状収容部２５ｉに設定する。  
なお、シート状部材１６の周方向における上記折返縫着ライン２２を有しない側の部分が上記包被部１２に相当する。【００６４】
（工程７）図１１（ｇ）に示すように、２本のゴム紐１５，１５のそれぞれを、上記筒状収容部２５に収容する。【００６５】
具体的には、２本のゴム紐１５，１５のうち一方のゴム紐１５を、外面布１６ｏに有する側の収容口２６に差し込みながら外側筒状収容部２５ｏに収容するとともに、他方のゴム紐１５を、内面布１６ｉに有する側の収容口２６に差し込みながら内側筒状収容部２５ｉに収容する。【００６６】
そうすると、図１１（ｈ），（ｈ−１），（ｈ−２），（ｈ−３）に示すように、ゴム紐１５を筒状収容部２５に収容することができる。  
なお、図１１（ｈ−１）は、図１１（ｈ）におけるＥ−Ｅ拡大端面図を示す。図１１（ｈ−２），（ｈ−３）は、いずれも図１１（ｈ）における、弧状の筒状収容部２５を平面状に展開した模式図を示す。さらに、図１１（ｈ−２）は、シート状部材１６の筒状収容部２５の有する部分の厚み方向の断面を示した説明図である。図１１（ｈ−３）は、筒状収容部２５の内部にゴム紐１５が収容されている様子を筒状収容部２５を一部破断して示した説明図である。【００６７】
（工程８）図１１（ｉ−１），（ｉ−２）に示すように、ゴム紐１５を、筒状収容部２５の内部において出入許容縁部１４の長さ方向の両端側部分に達する長さにまで伸張した状態とする。【００６８】
（工程９）図１２（ｊ−１），（ｊ−２）に示すように、出入許容縁部１４の長さ方向の両端側部分を、筒状収容部２５、及び、該筒状収容部２５を内部に収容したゴム紐１５ごと折り重ねた状態とする。この折り重ね部分（タック）を一体に縫着固定する。これにより、筒状収容部２５の長さ方向の両端側部分に重合縫着固定部２７を形成している。  
（工程１０）図１２（ｋ−１），（ｋ−２）に示すように、ゴム紐１５の長さ方向の中途部分に、ゴム紐１５を、筒状収容部２５、及び、出入許容縁部１４に縫着固定する縫着固定部２８を形成する。上記縫着固定部２８は、ゴム紐１５の長さ方向の長さ（Ｌ）を３等分配（Ｌ／３）する２つの中途部分に形成している。【００６９】
上記（１）から（１０）の工程を経ることにより、図１３（ｌ）に示すようなベビーキャリア１１を形成することができる。このとき、ベビーキャリア１１は、出入許容縁部１４が、図１３（ｌ−１）、図１３（ｌ−１）中の一部拡大図、及び、図１３（ｌ−２）に示すように収縮した状態に形成することができる。【００７０】
上述したベビーキャリア１１を用いて保護者は、上述した「ゆりかご抱き」に限らず、図１４に示すように、被包部１２の内部において乳児が前方を向いた「前向き抱き」、或いは、乳児が保護者と対面する「対面抱き」（図示せず）と称する抱き方によっても、乳児を抱きかかえることができる。【００７１】
これら「前向き抱き」や「対面抱き」においても、上述した「ゆりかご抱き」の場合と同様に、被包部１２の内部により乳児の略全体を包み込むことができるとともに、上記出入許容縁部１４に備えたゴム紐１５の付勢力を利用して被包部１２の内部から乳児が抜け落ちないよう保持することができる。【００７２】
また、「ゆりかご抱き」、「前向き抱き」、「対面抱き」のいずれの抱き方の場合も、略同じ手順により乳児を被包部１２の内部に対して出し入れすることができる。  
以下では、図１４に示した「前向き抱き」の場合を例に採り、被包部１２の内部に対して乳児を出し入れする手順について図１５を用いて説明する。  
まず、乳児を被包部１２の内部へ入れる場合、保護者は、ベビーキャリア１１を襷掛けした状態で、一方の手で外側出入許容縁部１４ｏ付近のみを把持する。その状態で外側出入許容縁部１４ｏ付近を、該外側出入許容縁部１４ｏに備えたゴム紐１５の付勢力に抗して外側へ引張ることにより、内側出入許容縁部１４ｉと離間させる。これにより、外側出入許容縁部１４ｏと内側出入許容縁部１４ｉとの間の出入許容部１４Ａを開口することができる。【００７３】
保護者は、他方の腕で乳児を抱えながら、出入許容部１４Ａを通じて被包部１２へ入れると、図１５に示すように、被包部１２の内部へ乳児を収容することができる。  
さらに、保護者は、外側出入許容縁部１４ｏの外側への引張り力を徐々に緩めながら該外側出入許容縁部１４ｏから手を放す。これにより、ゴム紐１５の付勢力によって出入許容縁部１４は収縮し、図１６に示すように、乳児を被包部１２により包み込むことができるとともに、出入許容縁部１４により保持することができる。【００７４】
さらにまた、被包部１２の内部から乳児を取り出す際にも、上述した乳児を被包部１２の内部へ入れる場合と同様に一方の手で、外側出入許容縁部１４ｏのみをゴム紐１５の付勢力に抗して外側へ引張り、出入許容部１４Ａを開口させておき、他方の腕で乳児を抱えながら被包部１２の内部から抜き出すことができる（図示せず）。【００７５】
また、ベビーキャリア１１を用いて保護者は、上述した抱き方以外にも図１７に示すように、「対面縦抱き」と称する抱き方により乳児を抱きかかえることもできる。【００７６】
上記「対面縦抱き」の場合、被包部１２は、該被包部１２の内面布１６ｉが上述した「ゆりかご抱き」のように、保護者と乳児との間に介在さず、乳児の背面側から外面布１６ｏと内面布１６ｉとが重合した形態で包み込む状態となる。【００７７】
その状態で、被包部１２は、乳児を載せたときの重量により該被包部１２の下部を、乳児の臀部に応じて湾曲させて、乳児を支持することができる。それとともに、外側出入許容縁部１４ｏと内側出入許容縁部１４ｉとの双方に備えたゴム紐１５，１５が収縮方向へ付勢することにより、しっかりと乳児を背面側から保持することができる。【００７８】
従って、ベビーキャリア１１は、「対面縦抱き」の場合であっても、上述した他の抱き方と同様に、例えば、保護者が被包部１２に添えた手を離したり、乳児が背面側へ体重をかけても、被包部１２の内部の乳児が出入許容部１４Ａから抜け落ちることなく保持することができる。  
なお、「対面縦抱き」の場合、被包部１２へ乳児を出し入れする出入許容部１４Ａは、保護者の前身頃と出入許容縁部１４との間で構成される開口部分に相当する。【００７９】
「対面縦抱き」の場合における被包部１２に対しての乳児の出し入れは、図１８に示すように、保護者が内側出入許容縁部１４ｉ付近と外側出入許容縁部１４ｏ付近との双方を、重合した状態で把持し、これら出入許容縁部１４に備えたゴム紐１５の付勢力に抗して外側へ引張ることで出入許容部１４Ａを開口させて行なうことができる。【００８０】
以下、上述したベビーキャリア１１が奏する作用、効果について説明する。  
上述したように、ベビーキャリア１１を用いれば、保護者は、様々な抱き方によって、乳幼児を抱きかかえることができ、上述したいずれの抱き方で乳児を抱きかかえた場合でも、ベビーキャリア１１は、乳児、保護者の双方の快適性、並びに、乳児の安全性を確保することができる。【００８１】
詳しくは、被包部１２を、その外面布１６ｏ、内面布１６ｉ、及び、折返し部分によって袋状に形成し、乳児を包み込み可能な大きさを有して形成している。このような被包部１２により、該被包部１２がたとえ低伸縮性を有した生地により形成された場合であっても、乳児を、快適に包み込むことができる（図１５参照）。【００８２】
さらに、ベビーキャリア１１は、上述したように弾性体であるゴム紐１５を上記出入許容縁部１４に、単に自然長の状態で備えるだけでなく収縮方向に付勢した状態で備えている。このため、このゴム紐１５に付与した付勢力を、乳児を保持する保持力として常に作用させることができる。【００８３】
さらにまた、ゴム紐１５は、例えば、乳児の抱き方、体格、並びに、被包部１２の内部での乳児の姿勢や動作に応じて、その伸縮長さが変化し、この伸縮長さの変化に応じて付勢力も変化するため、適切な保持力により、被包部１２の内部の乳児を保持することができる。【００８４】
特に、「ゆりかご抱き」の場合は、被包部１２の内部において、乳児の背面が被包部１２の外面布１６ｏに寄りかかった姿勢となる（図１参照）。このような姿勢であっても、ゴム紐１５の付勢力により、出入許容部１４Ａが不測に開くことがないよう出入許容縁部１４を絞った状態に留めておくことができ、乳児が出入許容部１４Ａから抜け落ちることないようしっかりと保持することができる。【００８５】
このようなゴム紐１５による出入許容縁部１４の収縮方向への付勢力Ｆ（保持力Ｆ）（図１３中の（ｌ−２）中のＦ）は、ゴム紐１５を、予め出入許容縁部１４における配置部分の長さより短い長さの自然長で形成し、上記配置部分の長さに伸張した状態で固定することにより、容易に、且つ、簡素な構成によって得ることができる。【００８６】
さらに、ベビーキャリア１１は、このように出入許容縁部１４にゴム紐１５を備えることにより、例えば、出入許容縁部１４に配置したベルトや複数のバックルなどの固定手段を用いて出入許容部１４Ａの大きさを調節可能に固定する構成と異なり、出入許容縁部１４が嵩張ることがない。  
加えて、ゴム紐１５を筒状収容部２５に収容することにより、乳幼児の出し入れの際にゴム紐１５が邪魔にならず、出入許容縁部１４の見栄えも良好に保つことができる。【００８７】
さらにまた、上記構成により、被包部１２の内部から乳児を出し入れする際においても、出入許容縁部１４を収縮した状態に留めておくためのベルトやバックルといった固定手段の着脱操作を要しない。  
すなわち、ベビーキャリア１１は、保護者が襷掛けした状態で片手でも容易に、且つ、安全に、出入許容縁部１４、すなわち、ゴム紐１５を伸張させることで出入許容部１４Ａの大きさを調節しながら行うことができる。【００８８】
しかも、上記構成により、シート状部材１６の出入許容縁部１４の生地自体が伸縮性を備えていなくても、出入許容縁部１４に、収縮方向への付勢力を付与することができる。  
このため、上記出入許容縁部１４を含む上記シート状部材１６全体を低伸縮性素材である１枚の生地で形成することも可能となり、結果的にベビーキャリア１１を容易に製造することができる。【００８９】
また、上記重合縫着固定部２７は、出入許容縁部１４の両端部に、上記ゴム紐１５、及び、筒状収容部２５ごと重合して縫着固定することによって形成している。【００９０】
上記構成により、ゴム紐１５を伸張した状態で、その長さ方向の両端部を強固に出入許容縁部１４、及び、筒状収容部２５に取り付けることがでるとともに、出入許容縁部１４の両端部に有する収容口２６を封止することができる（図１２（ｊ−１）中、一部拡大図参照）。【００９１】
また、上記縫着固定部２８は、上記ゴム紐１５の中途部分を上記出入許容縁部１４に縫着固定することにより形成しているため、乳児が活発に動作しても筒状収容部２５の内部においてゴム紐１５が捩れることを防止することができる。  
さらに、ゴム紐１５の中途部分を、出入許容縁部１４の長さ方向についての位置決め固定することができるため、ゴム紐１５が筒状収容部２５や出入許容縁部１４の長さ方向における一部分に引っ掛かるなどして、偏ることを防止することができる。【００９２】
さらにまた、上記縫着固定部２８は、ゴム紐１５の長さ方向へ３等分配する２つの中途部分に縫着固定している。このように、縫着固定部２８をゴム紐１５の長さ方向において等間隔に、且つ、適切な数で形成することにより、ゴム紐１５の伸縮性を確保しつつ、出入許容縁部１４の長さ方向全体を均等に収縮させて、乳児を、しっかりと保持することができる。  
その他にも、ベビーキャリア１１は、様々な作用、効果を奏することができる。  
例えば、ベビーキャリア１１は、全体を上記シート状部材１６により保護者が襷掛け可能に環状に形成している。このため、例えば、一方向に長い帯状に形成した従来のベビーキャリアのように、環状に連結して襷掛けするための連結部材などといった別部材を必要としない。よって、ベビーキャリア１１は、連結部材を連結する手間を要さずに容易に襷掛けすることができる。  
さらに、ベビーキャリア１１は、シート状部材１６、及び、ゴム紐１５といった部材により形成し、全体が柔軟であるため、不使用時に折畳みが可能であり、折り畳んでも嵩張らず、コンパクトに収納することができる。さらにまた、ベビーキャリア１１は、丸洗いすることもできる。【００９３】
また、本発明のベビーキャリア１１は、上述した実施形態のベビーキャリア１１に限定せず、その他にも多くの実施の形態を得ることができる。  
例えば、外面布１６ｏ、内面布１６ｉの少なくともいずれか一方の側の面布を、例えば、メッシュ地などのさらに通気性を有する素材で形成する、起毛状の生地を用いて形成する、或いは、織物によって形成してもよい。【００９４】
また、上述した実施形態と、この発明の構成との対応において、この実施形態の保護者は、この発明の装着する人に対応し、以下同様に、
乳児は、乳幼児に対応し、
ゴム紐１５は、弾性線状体に対応し、
出入許容縁部１４の全長は、配置部分に対応し、
縫着固定部２８は、出入許容縁部１４に固定した上記弾性線状体の中途部分に対応する。
【産業上の利用可能性】
【００９５】
この発明は、乳幼児製品の中でも、乳幼児を抱っこするために用いるベビーキャリアとして利用することができる。
【図１】
2009090732.tif 000003
【図２】
2009090732.tif 000004
【図３】
2009090732.tif 000005
【図４】
2009090732.tif 000006
【図５】
2009090732.tif 000007
【図６】
2009090732.tif 000008
【図７】
2009090732.tif 000009
【図８】
2009090732.tif 000010
【図９】
2009090732.tif 000011
【図１０】
2009090732.tif 000012
【図１１】
2009090732.tif 000013
【図１２】
2009090732.tif 000014
【図１３】
2009090732.tif 000015
【図１４】
2009090732.tif 000016
【図１５】
2009090732.tif 000017
【図１６】
2009090732.tif 000018
【図１７】
2009090732.tif 000019
【図１８】
2009090732.tif 000020
【手続補正書】
【提出日】平成21年8月29日(2009.8.29)
【手続補正１】
【補正対象書類名】明細書
【補正対象項目名】全文
【補正方法】変更
【補正の内容】
【発明の詳細な説明】
【技術分野】
【０００１】
この発明は、乳幼児を抱っこするために用いるベビーキャリアに関する。
【背景技術】
【０００２】
上記ベビーキャリアは、乳幼児の成長、装着する人（保護者）の体格、或いは、使用用途などに応じて様々な取り付け形態で装着することができ、利便性が高いことから、広く普及しつつある。  
例えば、上記ベビーキャリアには、下記特許文献１において開示された「幼児を抱く帯」が存在する。  
上記「幼児を抱く帯」は、外布と内布を２重にして、輪を作り、両者を一ヶ所で縫着し、該輪を肩に掛け、又、その長さ方向の一部分で幼児を横抱きして用いるものである。
【０００３】
しかし、上述した「幼児を抱く帯」は、２枚の布を重合し、幅を広げた状態で乳児を支えているだけなので、乳幼児を安定して保持できないおそれを有する。
【０００４】
すなわち、例えば、「幼児を抱く帯」を装着した保護者が例えば、前屈みの姿勢となった場合や、幼児が動いた場合に、柔軟な外布と内布の幅方向の端部が捲れるなどして、幼児が落下してしまうおそれを有する。
【０００５】
一方、保護者にとっても、常に、幼児を自分の側へ密着するよう手を添えるなどして抱きかかえておく必要があるため、快適な装着状態とはいえなかった。
【先行技術文献】
【特許文献】
【０００６】
【特許文献１】実開平５−２０６６５号
【発明の概要】
【発明が解決しようとする課題】
【０００７】
そこでこの発明は、乳幼児の安全性、快適性を確保しつつ、装着する人にとっても、使い勝手のよいベビーキャリアの提供を目的とする。
【課題を解決するための手段】
【０００８】
本発明のベビーキャリアは、全体をシート状部材で環状に形成し、該シート状部材の幅方向の中間部において折り返して二層構造に形成して乳幼児を包み込み可能な被包部を備えるとともに、装着する人の肩部に係合可能な肩係合部を備えたベビーキャリアであって、上記被包部の上部に、上記被包部に対して乳幼児を出し入れ可能に開口する出入許容部を備え、上記出入許容部の縁部（上記被包部の上端部）に有する出入許容縁部を収縮方向に付勢して上記被包部内の乳幼児を保持する収縮付勢部を、上記出入許容縁部に形成したことを特徴とする。
【０００９】
上記構成により、上記被包部により乳児を包み込んだ状態で、出入許容縁部を収縮方向に付勢して被包部内の乳幼児を保持することができるため、乳児の安全性、快適性を確保することができる。
【００１０】
しかも、本発明のベビーキャリアは、上記出入許容縁部を収縮方向への付勢力に抗して伸張することにより、出入許容部を容易に開口させることができる。このため、上記被包部に対して乳幼児を容易に出し入れすることができ、使い勝手がよく用いることができる。
【００１１】
上記シート状部材は、ベビーキャリアを装着する人が襷掛けした状態で乳児を抱きかかえることができる強度を有していれば、伸縮性の有無など生地の性質は限定しない。  
さらに、上記シート状部材は、編み物、織物のいずれによっても形成することができる。
【００１２】
なお、明細書中、被包部内の乳幼児を保持するとは、特に示す場合を除いて被包部内の乳幼児が出入許容部から抜け落ちないよう保持することを示すものとする。
【００１３】
また、上記収縮付勢部を、上記出入許容縁部の生地自体を、収縮方向に付勢して上記被包部内の乳幼児を保持可能な伸縮性を有する生地により形成してもよいが、この発明の態様として、上記収縮付勢部は、上記出入許容縁部の生地より高い伸縮性を有した収縮付勢手段を、上記出入許容縁部に備えることによって形成することが好ましい。
【００１４】
上述した構成によって収縮付勢部を出入許容縁部に形成することにより、出入許容縁部の生地自体が伸縮性を有していなくてもよいため、例えば、上記出入許容縁部を含む上記被包部を伸縮性の低い１種類の素材で形成した生地を用いることができ、結果的に容易にベビーキャリアを製造することができる。
【００１５】
この発明の態様として、上記収縮付勢手段を、上記出入許容縁部に沿って配置する弾性線状体で形成することができる。
【００１６】
上記構成により、出入許容縁部が嵩張ることなく、該出入許容縁部を容易に収縮方向に付勢することができる。さらに、弾性線状体は、その長さ方向全体が伸縮するため、出入許容縁部を収縮方向に付勢してしっかりと被包部内の乳幼児の落下を防ぐとができる。
【００１７】
上記弾性線状体は、例えば、ゴム紐、ゴムバンド、コイルバネなど、出入許容縁部の生地よりも弾性に優れた線状体であれば特に限定しない。
【００１８】
この発明の態様として、上記弾性線状体の自然長を、上記出入許容縁部に配置する配置部分の長さより短い長さで形成し、上記弾性線状体を、該配置部分の長さに伸張した状態で上記配置部分に固定することができる。
【００１９】
上記構成により、被包部内の乳幼児を保持するために必要となる適切な付勢力を有した収縮付勢部を容易、且つ、シンプルな構成で実現することができる。
【００２０】
この発明の態様として、上記出入許容縁部に、上記弾性線状体を収容する筒状収容部を形成することができる。
【００２１】
上記構成により、上記弾性線状体を上記収容部に収容することができ、これにより、乳幼児の出し入れの際に弾性線状体が邪魔にならず、見栄えも良好に保つことができる。
【００２２】
この発明の態様として、上記筒状収容部に、上記弾性線状体を収容する収容口を備え、上記収容口に、該収容口を封止するとともに、上記弾性線状体を上記筒状収容部に固定する封止固定部を形成することができる。
【００２３】
上記構成により、収容口を封止することができるとともに、該弾性線状体を上記筒状収容部に強固に取り付けることができる。さらに、上記収容口に上記封止固定部を形成することにより、上記収容口の封止と、上記弾性線状体の上記筒状収容部への固定との双方を実現することができる。
【００２４】
この発明の態様として、上記封止固定部を、上記出入許容縁部の両端部に形成し、上記封止固定部は、上記筒状収容部を内部に収容した上記弾性線状体ごと重合して縫着固定した重合縫着部により形成することができる。
【００２５】
封止固定部を重合縫着部により形成することにより、例えば、生地を単に縫着するよりも、より強固に固定することができ、上記弾性線状体が伸張してもしっかりと保持することができる。
【００２６】
さらに、封止固定部を出入許容縁部の両端部に形成することにより、弾性線状体を、その長さ方向の両端側で保持することができるため、該弾性線状体の優れた伸縮性を損なうことなく保持することができる。
【００２７】
上記重合縫着部には、例えば、上記弾性線状体ごと複数層に折り重ねた折重ね部分（タック）を形成し、該折重ね部分を縫着固定した形態を挙げることができる。
【００２８】
この発明の態様として、上記弾性線状体の中途部分を、上記出入許容縁部に固定することができる。
【００２９】
上記構成により、乳幼児が活発に動作しても筒状収容部に収容した弾性線状体が捩れることを防止することができる。
【００３０】
さらに、弾性線状体の長さ方向の一部が収縮の際に筒状収容部などに引っ掛かるなどして、部分的に伸張した状態で上記出入許容縁部の一部分に偏るといった事態を阻止することができる。
【００３１】
このため、弾性線状体全体の均一な伸縮性を確保することができ、出入許容縁部全体で、乳幼児が抜け出さないようしっかりと保持することができる。  
さらに、弾性線状体が出入許容縁部の一部分に偏ることを阻止することにより、出入許容縁部が弛緩することを防止でき、邪魔にならず、見栄えも良好に保つことができるといった効果も得ることができる。
【００３２】
なお、上記弾性線状体の中途部分を、上記出入許容縁部に固定する手段としては、特に限定しないが、例えば、縫着することにより固定することが好ましい。  
縫着により固定すれば、上記弾性線状体を上記出入許容縁部に対して強固に固定することができるとともに、固定部分が嵩張らない形態で形成することができる。
【発明の効果】
【００３３】
この発明は、乳幼児の安全性、快適性を確保しつつ、装着する人にとっても、使い勝手のよいベビーキャリアを提供することができる。
【図面の簡単な説明】
【００３４】
【図１】本実施形態のベビーキャリアの使用状態図。
【図２】本実施形態における乳児包被具の正面図。
【図３】本実施形態のベビーキャリアの平面図（ａ），底面図（ｂ）。
【図４】本実施形態のベビーキャリアの左側面図（ａ），右側面図（ｂ）。
【図５】図４（ａ）のＡ−Ａ断面図。
【図６】本実施形態のベビーキャリアの展開状態の正面図。
【図７】本実施形態のベビーキャリアの展開状態の平面図（ａ），底面図（ｂ）。
【図８】本実施形態のベビーキャリアの展開状態の側面図。
【図９】本実施形態のベビーキャリアの製造方法の説明図。
【図１０】本実施形態のベビーキャリアの製造方法の説明図。
【図１１】本実施形態のベビーキャリアの製造方法の説明図。
【図１２】本実施形態のベビーキャリアの製造方法の説明図。
【図１３】本実施形態のベビーキャリアの構成説明図。
【図１４】本実施形態のベビーキャリアの使用状態図。
【図１５】本実施形態のベビーキャリアの作用説明図。
【図１６】本実施形態のベビーキャリアの作用説明図。
【図１７】本実施形態のベビーキャリアの使用状態図。
【図１８】本実施形態のベビーキャリアの作用説明図。
【発明を実施するための形態】
【００３５】
本実施例におけるベビーキャリア１１を、図面とともに説明する。  
図１は、ベビーキャリア１１を用いて保護者が、いわゆる「ゆりかご抱き」と称する抱き方によって乳児を抱いている様子を示す。
【００３６】
ベビーキャリア１１は、乳児を包み込み可能な被包部１２を備えるとともに、保護者の肩部に係合可能な肩係合部１３を備えている。さらに、上記被包部１２の上部に、上記被包部１２に対して乳児を出し入れ可能に開口する出入許容部１４Ａを備え、上記出入許容部１４Ａの縁部（上記被包部１２の上端部）に有する出入許容縁部１４を収縮方向に付勢して上記被包部１２の内部の乳児を保持するゴム紐１５を、上記出入許容縁部１４に備えている。
【００３７】
詳しくは、ベビーキャリア１１は、図２から図５に示すように、全体を低伸縮性を備えた編地である１枚のシート状部材１６により環状に形成し、該シート状部材１６の幅方向の中間部において折り返して重合した二層形態で形成している。  
ベビーキャリア１１は、図５に示すように、二層形態をした状態において環状（筒状）のシート状部材１６の内側に貫通孔Ｂを備え、該貫通孔Ｂの貫通方向の両側部分に開口部Ａを備えている。
【００３８】
なお、図２から図５は、いずれも、上述したように二層形態としたベビーキャリア１１を示し、図２は、ベビーキャリア１１の正面図、或いは、背面図であり、図３（ａ），（ｂ）は、それぞれベビーキャリア１１の平面図、底面図である。さらに、図４（ａ），（ｂ）は、それぞれベビーキャリア１１の左側図、右側面図である。図５は、一部拡大して示した図４（ａ）におけるＡ−Ａ断面図である。
【００３９】
上記肩係合部１３は、図１、図２、及び、図５に示すように保護者がベビーキャリア１１を襷掛けしたとき肩部に係合可能に、ベビーキャリア１１の周方向における一部分を、他の部分と比較して幅小に形成している。
【００４０】
上記肩係合部１３には、図３（ａ）に示すように、その幅方向に沿ってシート状部材１６の各端部同士を一体に縫着固定した肩係合縫着ライン２１を形成している。  
なお、肩係合縫着ライン２１は、適宜、ステッチを形成したり、パイピング加工を施すことにより、荷重を受け易い肩係合部１３の強度を補強している。
【００４１】
また、上記被包部１２は、図１、及び、図２に示すように、保護者がベビーキャリア１１を襷掛けしたとき保護者の前身頃、及び、後身頃に相当する各部分に備え、ベビーキャリア１１の当該前身頃相当部分、及び、後身頃相当部分を、周方向における他の部分と比較して幅大に形成し、いずれも乳幼児を包み込んで包持可能な大きさで形成している。
【００４２】
なお、ベビーキャリア１１の周方向における、上記肩係合部１３と上記被包部１２との間は、被包部１２から上記肩係合部１３へ向けて徐々に幅小になるよう形成している。
【００４３】
また、ベビーキャリア１１は、図１、及び、図２に示すように、二層形態としたシート状部材１６の折返し部分（図１中、ベビーキャリア１１の左側縁部）における、被包部１２を除く部分に、折返縫着ライン２２を形成している。
【００４４】
折返縫着ライン２２は、上記肩係合縫着ライン２１と同様に、適宜、ステッチを形成したり、パイピング加工を施すことにより、該折返縫着ライン２２を補強するとともに、シート状部材１６を二層形態としたとき型崩れすることがないよう折返し部分の形態を保っている。
【００４５】
また、ベビーキャリア１１は、二層形態から一層形態へ展開すると、図６、図７、及び、図８に示すように、折返縫着ライン２２を含むシート状部材１６の幅方向の中間部に対して各側部分が対称の形態になるよう展開することができる。  
なお、図６から図８は、いずれも展開状態のベビーキャリア１１を示し、図６は、ベビーキャリア１１の正面図、或いは、背面図であり、図７（ａ），（ｂ）は、それぞれベビーキャリア１１の平面図、底面図である。図８は、ベビーキャリア１１の右側面図、或いは、左側面図である。
【００４６】
ベビーキャリア１１は、図６から図８に示した展開状態から図２から図５に示したように幅方向の中間部に対して一方の側の部分と他方の側の部分とが周方向全体において重合するよう折り返して用いる。  
その際、ベビーキャリア１１は、上記一方の側の部分が上記他方の側の部分に対して内側、外側のいずれの側で重合するように折り返した場合においても、同じ二層形態となるため、上記他方の側の部分を、上記一方の側の部分に対して内側、外側のいずれの側で折り返してもよい。
【００４７】
ここで、二層形態のシート状部材１６の外側部分を外面布１６ｏに設定するとともに、内側部分を内面布１６ｉに設定する。
【００４８】
また、上記出入許容縁部１４は、被包部１２における外面布１６ｏの上端部に有する外側出入許容縁部１４ｏと、内面布１６ｉの上端部に有する内側出入許容縁部１４ｉとで形成している。
【００４９】
出入許容縁部１４には、該出入許容縁部１４の長さ方向に沿って筒状収容部２５を形成し、上記ゴム紐１５を、筒状収容部２５に収容することにより備えている（図５の一部拡大図参照）。  
また、ゴム紐１５は、上記シート状部材１６の生地よりも伸縮性（弾性）に優れた弾性体により形成するとともに、その自然長が上記出入許容縁部１４の全長よりも短い長さで形成している。
【００５０】
ゴム紐１５は、筒状収容部２５の内部において、上記出入許容縁部１４の全長に相当する長さに伸張し、この伸張状態で出入許容縁部１４、及び、筒状収容部２５に一体に固定することにより、出入許容縁部１４の全長に亘って配置している。
【００５１】
ゴム紐１５を、出入許容縁部１４、及び、筒状収容部２５に対して固定する形態について詳述する。  
ゴム紐１５の長さ方向の両端部分は、重合縫着固定部２７により固定するとともに、ゴム紐１５の長さ方向の中途部分は、縫着固定部２８により固定している。
【００５２】
上記重合縫着固定部２７は、出入許容縁部１４の長さ方向の両端部において、図４（ａ）の要部拡大図に示すように、出入許容縁部１４、及び、筒状収容部２５を、上記筒状収容部２５の内部に収容した上記ゴム紐１５ごと折り重ねて重合して重合部分（タック）を構成し、該重合部分を縫着固定することで形成している。
【００５３】
また、上記縫着固定部２８は、ゴム紐１５をその長さ方向において、例えば、３等分する２つの中途部分に、ゴム紐１５を出入許容縁部１４、及び、筒状収容部２５に対して縫着固定することで形成している。
【００５４】
上記構成により、ゴム紐１５は、上記出入許容縁部１４を収縮方向に付勢するため、出入許容縁部１４、及び、筒状収容部２５とともに収縮した状態となる。
【００５５】
次に、上述したベビーキャリア１１の製造方法の一例を図９から図１２を用いて各工程ごとに説明する。  
（工程１）図９（ａ）に示すように、編地により形成した１枚のシート状部材１６を、矩形（長方形状）に形成する。なお、シート状部材１６は、例えば、裁断、或いは、縫製といった手段により矩形に形成することができる。さらに、縫製により形成する場合は、リブ編み（ゴム編み）、両面編み（インターロック編み）、平編み、丸編などの緯編み、経編、或いは、これらを組み合わせた編み方で形成することができる。  
さらに、矩形をしたシート状部材１６は、その幅方向の両端側部分に、ゴム紐１５を収容可能な中空部１７を備えている。  
具体的には、図９（ａ−１），（ａ−２）に示すように、中空部１７は、シート状部材１６を、その幅方向の両端側部分の所定幅分だけ一方の面側の編地１６Ａと他方の面側の編地１６Ｂと接合せずに分離可能に中空状に編み込むことにより形成している。  
なお、図９（ａ−１），（ａ−２）は、それぞれ図９（ａ）におけるＡ−Ａ線拡大断面図、Ｂ−Ｂ線拡大断面図を示す。
【００５６】
（工程２）図９（ｂ）に示すように、上記シート状部材１６を、その長手方向の両端部どうしを縫着して環状（筒状）にする。  
このとき、上記シート状部材１６の長手方向の両端部どうしの縫着部分には、上記肩係合縫着ライン２１を形成することができる。
【００５７】
（工程３）上記シート状部材１６を、図９（ｂ）中、仮想線で示した上下方向の中間部分１８（幅方向の中間部）で折り返す。  
具体的には、図１０（ｃ）に示すように、上記シート状部材１６を、幅方向の中間部（図上下方向）の下半分を上半分の内側、或いは、外側へ折り返して外面布１６ｏと内面布１６ｉとの二層形態とする。
【００５８】
これにより、図１０（ｃ−１）に示すように、二層形態となったシート状部材１６の下端部には、折返し部分１８（上記中間部分１８）が位置することになり、幅方向の両端部の中空部１７は、該シート状部材１６の上端部に位置することになる。  
なお、図１０（ｃ−１）は、図１０（ｃ）におけるＣ−Ｃ線拡大端面図を示す。
【００５９】
（工程４）図１０（ｄ）に示すように、シート状部材１６の折返し部分１８の一部位を図中、一点鎖線で示したカットラインＣに沿って裁断する。  
具体的には、折返し部分１８（下端周縁部）の周方向の一部分を、カットラインＣが例えば、下端周縁部に対して３０°程度の傾斜の円弧状になるよう裁断する。
【００６０】
（工程５）図１０（ｅ）に示すように、折返し部分１８における工程（４）で裁断した裁断部分を縫着する。この縫着により、上記折返縫着ライン２２を形成することができる。
【００６１】
（工程６）図１０（ｆ）に示すように、シート状部材１６の上端周縁部における上記折返縫着ライン２２を有しない側の部分の中空部１７を構成する編地を、ゴム紐１５を収容可能な上記筒状収容部２５に設定する。上記筒状収容部２５の長さ方向各端部には、該筒状収容部２５にゴム紐１５を挿入可能に収容可能なスリット状の収容口２６を形成する。
【００６２】
収容口２６は、図１０（ｆ）の一部拡大図、及び、図１０（ｆ−１）に示すように、内面布１６ｉと外面布１６ｏとの双方に形成している。  
なお、図１０（ｆ−１）は、図１０（ｆ）におけるＤ−Ｄ拡大端面図、すなわち、シート状部材１６の上端周縁部における収容口２６の形成部分におけるシート状部材１６の切断端面図を示す。
【００６３】
また、筒状収容部２５は、外面布１６ｏ側に有する外側筒状収容部２５ｏと、内面布１６ｉ側に有する内側筒状収容部２５ｉに設定する。  
なお、シート状部材１６の周方向における上記折返縫着ライン２２を有しない側の部分が上記包被部１２に相当する。
【００６４】
（工程７）図１１（ｇ）に示すように、２本のゴム紐１５，１５のそれぞれを、上記筒状収容部２５に収容する。
【００６５】
具体的には、２本のゴム紐１５，１５のうち一方のゴム紐１５を、外面布１６ｏに有する側の収容口２６に差し込みながら外側筒状収容部２５ｏに収容するとともに、他方のゴム紐１５を、内面布１６ｉに有する側の収容口２６に差し込みながら内側筒状収容部２５ｉに収容する。
【００６６】
そうすると、図１１（ｈ），（ｈ−１），（ｈ−２），（ｈ−３）に示すように、ゴム紐１５を筒状収容部２５に収容することができる。  
なお、図１１（ｈ−１）は、図１１（ｈ）におけるＥ−Ｅ拡大端面図を示す。図１１（ｈ−２），（ｈ−３）は、いずれも図１１（ｈ）における、弧状の筒状収容部２５を平面状に展開した模式図を示す。さらに、図１１（ｈ−２）は、シート状部材１６の筒状収容部２５の有する部分の厚み方向の断面を示した説明図である。図１１（ｈ−３）は、筒状収容部２５の内部にゴム紐１５が収容されている様子を筒状収容部２５を一部破断して示した説明図である。
【００６７】
（工程８）図１１（ｉ−１），（ｉ−２）に示すように、ゴム紐１５を、筒状収容部２５の内部において出入許容縁部１４の長さ方向の両端側部分に達する長さにまで伸張した状態とする。
【００６８】
（工程９）図１２（ｊ−１），（ｊ−２）に示すように、出入許容縁部１４の長さ方向の両端側部分を、筒状収容部２５、及び、該筒状収容部２５を内部に収容したゴム紐１５ごと折り重ねた状態とする。この折り重ね部分（タック）を一体に縫着固定する。これにより、筒状収容部２５の長さ方向の両端側部分に重合縫着固定部２７を形成している。  
（工程１０）図１２（ｋ−１），（ｋ−２）に示すように、ゴム紐１５の長さ方向の中途部分に、ゴム紐１５を、筒状収容部２５、及び、出入許容縁部１４に縫着固定する縫着固定部２８を形成する。上記縫着固定部２８は、ゴム紐１５の長さ方向の長さ（Ｌ）を３等分配（Ｌ／３）する２つの中途部分に形成している。
【００６９】
上記（１）から（１０）の工程を経ることにより、図１３（ｌ）に示すようなベビーキャリア１１を形成することができる。このとき、ベビーキャリア１１は、出入許容縁部１４が、図１３（ｌ−１）、図１３（ｌ−１）中の一部拡大図、及び、図１３（ｌ−２）に示すように収縮した状態に形成することができる。
【００７０】
上述したベビーキャリア１１を用いて保護者は、上述した「ゆりかご抱き」に限らず、図１４に示すように、被包部１２の内部において乳児が前方を向いた「前向き抱き」、或いは、乳児が保護者と対面する「対面抱き」（図示せず）と称する抱き方によっても、乳児を抱きかかえることができる。
【００７１】
これら「前向き抱き」や「対面抱き」においても、上述した「ゆりかご抱き」の場合と同様に、被包部１２の内部により乳児の略全体を包み込むことができるとともに、上記出入許容縁部１４に備えたゴム紐１５の付勢力を利用して被包部１２の内部から乳児が抜け落ちないよう保持することができる。
【００７２】
また、「ゆりかご抱き」、「前向き抱き」、「対面抱き」のいずれの抱き方の場合も、略同じ手順により乳児を被包部１２の内部に対して出し入れすることができる。  
以下では、図１４に示した「前向き抱き」の場合を例に採り、被包部１２の内部に対して乳児を出し入れする手順について図１５を用いて説明する。  
まず、乳児を被包部１２の内部へ入れる場合、保護者は、ベビーキャリア１１を襷掛けした状態で、一方の手で外側出入許容縁部１４ｏ付近のみを把持する。その状態で外側出入許容縁部１４ｏ付近を、該外側出入許容縁部１４ｏに備えたゴム紐１５の付勢力に抗して外側へ引張ることにより、内側出入許容縁部１４ｉと離間させる。これにより、外側出入許容縁部１４ｏと内側出入許容縁部１４ｉとの間の出入許容部１４Ａを開口することができる。
【００７３】
保護者は、他方の腕で乳児を抱えながら、出入許容部１４Ａを通じて被包部１２へ入れると、図１５に示すように、被包部１２の内部へ乳児を収容することができる。  
さらに、保護者は、外側出入許容縁部１４ｏの外側への引張り力を徐々に緩めながら該外側出入許容縁部１４ｏから手を放す。これにより、ゴム紐１５の付勢力によって出入許容縁部１４は収縮し、図１６に示すように、乳児を被包部１２により包み込むことができるとともに、出入許容縁部１４により保持することができる。
【００７４】
さらにまた、被包部１２の内部から乳児を取り出す際にも、上述した乳児を被包部１２の内部へ入れる場合と同様に一方の手で、外側出入許容縁部１４ｏのみをゴム紐１５の付勢力に抗して外側へ引張り、出入許容部１４Ａを開口させておき、他方の腕で乳児を抱えながら被包部１２の内部から抜き出すことができる（図示せず）。
【００７５】
また、ベビーキャリア１１を用いて保護者は、上述した抱き方以外にも図１７に示すように、「対面縦抱き」と称する抱き方により乳児を抱きかかえることもできる。
【００７６】
上記「対面縦抱き」の場合、被包部１２は、該被包部１２の内面布１６ｉが上述した「ゆりかご抱き」のように、保護者と乳児との間に介在さず、乳児の背面側から外面布１６ｏと内面布１６ｉとが重合した形態で包み込む状態となる。
【００７７】
その状態で、被包部１２は、乳児を載せたときの重量により該被包部１２の下部を、乳児の臀部に応じて湾曲させて、乳児を支持することができる。それとともに、外側出入許容縁部１４ｏと内側出入許容縁部１４ｉとの双方に備えたゴム紐１５，１５が収縮方向へ付勢することにより、しっかりと乳児を背面側から保持することができる。
【００７８】
従って、ベビーキャリア１１は、「対面縦抱き」の場合であっても、上述した他の抱き方と同様に、例えば、保護者が被包部１２に添えた手を離したり、乳児が背面側へ体重をかけても、被包部１２の内部の乳児が出入許容部１４Ａから抜け落ちることなく保持することができる。  
なお、「対面縦抱き」の場合、被包部１２へ乳児を出し入れする出入許容部１４Ａは、保護者の前身頃と出入許容縁部１４との間で構成される開口部分に相当する。
【００７９】
「対面縦抱き」の場合における被包部１２に対しての乳児の出し入れは、図１８に示すように、保護者が内側出入許容縁部１４ｉ付近と外側出入許容縁部１４ｏ付近との双方を、重合した状態で把持し、これら出入許容縁部１４に備えたゴム紐１５の付勢力に抗して外側へ引張ることで出入許容部１４Ａを開口させて行なうことができる。
【００８０】
以下、上述したベビーキャリア１１が奏する作用、効果について説明する。  
上述したように、ベビーキャリア１１を用いれば、保護者は、様々な抱き方によって、乳幼児を抱きかかえることができ、上述したいずれの抱き方で乳児を抱きかかえた場合でも、ベビーキャリア１１は、乳児、保護者の双方の快適性、並びに、乳児の安全性を確保することができる。
【００８１】
詳しくは、被包部１２を、その外面布１６ｏ、内面布１６ｉ、及び、折返し部分によって袋状に形成し、乳児を包み込み可能な大きさを有して形成している。このような被包部１２により、該被包部１２がたとえ低伸縮性を有した生地により形成された場合であっても、乳児を、快適に包み込むことができる（図１５参照）。
【００８２】
さらに、ベビーキャリア１１は、上述したように弾性体であるゴム紐１５を上記出入許容縁部１４に、単に自然長の状態で備えるだけでなく収縮方向に付勢した状態で備えている。このため、このゴム紐１５に付与した付勢力を、乳児を保持する保持力として常に作用させることができる。
【００８３】
さらにまた、ゴム紐１５は、例えば、乳児の抱き方、体格、並びに、被包部１２の内部での乳児の姿勢や動作に応じて、その伸縮長さが変化し、この伸縮長さの変化に応じて付勢力も変化するため、適切な保持力により、被包部１２の内部の乳児を保持することができる。
【００８４】
特に、「ゆりかご抱き」の場合は、被包部１２の内部において、乳児の背面が被包部１２の外面布１６ｏに寄りかかった姿勢となる（図１参照）。このような姿勢であっても、ゴム紐１５の付勢力により、出入許容部１４Ａが不測に開くことがないよう出入許容縁部１４を絞った状態に留めておくことができ、乳児が出入許容部１４Ａから抜け落ちることないようしっかりと保持することができる。
【００８５】
このようなゴム紐１５による出入許容縁部１４の収縮方向への付勢力Ｆ（保持力Ｆ）（図１３中の（ｌ−２）中のＦ）は、ゴム紐１５を、予め出入許容縁部１４における配置部分の長さより短い長さの自然長で形成し、上記配置部分の長さに伸張した状態で固定することにより、容易に、且つ、簡素な構成によって得ることができる。
【００８６】
さらに、ベビーキャリア１１は、このように出入許容縁部１４にゴム紐１５を備えることにより、例えば、出入許容縁部１４に配置したベルトや複数のバックルなどの固定手段を用いて出入許容部１４Ａの大きさを調節可能に固定する構成と異なり、出入許容縁部１４が嵩張ることがない。  
加えて、ゴム紐１５を筒状収容部２５に収容することにより、乳幼児の出し入れの際にゴム紐１５が邪魔にならず、出入許容縁部１４の見栄えも良好に保つことができる。
【００８７】
さらにまた、上記構成により、被包部１２の内部から乳児を出し入れする際においても、出入許容縁部１４を収縮した状態に留めておくためのベルトやバックルといった固定手段の着脱操作を要しない。  
すなわち、ベビーキャリア１１は、保護者が襷掛けした状態で片手でも容易に、且つ、安全に、出入許容縁部１４、すなわち、ゴム紐１５を伸張させることで出入許容部１４Ａの大きさを調節しながら行うことができる。
【００８８】
しかも、上記構成により、シート状部材１６の出入許容縁部１４の生地自体が伸縮性を備えていなくても、出入許容縁部１４に、収縮方向への付勢力を付与することができる。  
このため、上記出入許容縁部１４を含む上記シート状部材１６全体を低伸縮性素材である１枚の生地で形成することも可能となり、結果的にベビーキャリア１１を容易に製造することができる。
【００８９】
また、上記重合縫着固定部２７は、出入許容縁部１４の両端部に、上記ゴム紐１５、及び、筒状収容部２５ごと重合して縫着固定することによって形成している。
【００９０】
上記構成により、ゴム紐１５を伸張した状態で、その長さ方向の両端部を強固に出入許容縁部１４、及び、筒状収容部２５に取り付けることがでるとともに、出入許容縁部１４の両端部に有する収容口２６を封止することができる（図１２（ｊ−１）中、一部拡大図参照）。
【００９１】
また、上記縫着固定部２８は、上記ゴム紐１５の中途部分を上記出入許容縁部１４に縫着固定することにより形成しているため、乳児が活発に動作しても筒状収容部２５の内部においてゴム紐１５が捩れることを防止することができる。  
さらに、ゴム紐１５の中途部分を、出入許容縁部１４の長さ方向についての位置決め固定することができるため、ゴム紐１５が筒状収容部２５や出入許容縁部１４の長さ方向における一部分に引っ掛かるなどして、偏ることを防止することができる。
【００９２】
さらにまた、上記縫着固定部２８は、ゴム紐１５の長さ方向へ３等分配する２つの中途部分に縫着固定している。このように、縫着固定部２８をゴム紐１５の長さ方向において等間隔に、且つ、適切な数で形成することにより、ゴム紐１５の伸縮性を確保しつつ、出入許容縁部１４の長さ方向全体を均等に収縮させて、乳児を、しっかりと保持することができる。  
その他にも、ベビーキャリア１１は、様々な作用、効果を奏することができる。  
例えば、ベビーキャリア１１は、全体を上記シート状部材１６により保護者が襷掛け可能に環状に形成している。このため、例えば、一方向に長い帯状に形成した従来のベビーキャリアのように、環状に連結して襷掛けするための連結部材などといった別部材を必要としない。よって、ベビーキャリア１１は、連結部材を連結する手間を要さずに容易に襷掛けすることができる。  
さらに、ベビーキャリア１１は、シート状部材１６、及び、ゴム紐１５といった部材により形成し、全体が柔軟であるため、不使用時に折畳みが可能であり、折り畳んでも嵩張らず、コンパクトに収納することができる。さらにまた、ベビーキャリア１１は、丸洗いすることもできる。
【００９３】
また、本発明のベビーキャリア１１は、上述した実施形態のベビーキャリア１１に限定せず、その他にも多くの実施の形態を得ることができる。  
例えば、外面布１６ｏ、内面布１６ｉの少なくともいずれか一方の側の面布を、例えば、メッシュ地などのさらに通気性を有する素材で形成する、起毛状の生地を用いて形成する、或いは、織物によって形成してもよい。
【００９４】
また、上述した実施形態と、この発明の構成との対応において、この実施形態の保護者は、この発明の装着する人に対応し、以下同様に、
乳児は、乳幼児に対応し、
ゴム紐１５は、弾性線状体に対応し、
出入許容縁部１４の全長は、配置部分に対応し、
縫着固定部２８は、出入許容縁部１４に固定した上記弾性線状体の中途部分に対応する。
【符号の説明】
【００９５】
１１…ベビーキャリア
１２…被包部
１３…肩係合部
１４Ａ…出入許容部
１４…出入許容縁部
１５…ゴム紐
１６…シート状部材
２５…筒状収容部
２６…収容口
２７…重合縫着固定部
２８…縫着固定部
【国際調査報告】
2009090732.tif 000021
2009090732.tif 000022